(57)【要約】【構成】  ガラス粉を有する、表面または物品処理剤であり、その使用方法であり、またその製造方法である。処理剤は、少なくとも多泡ガラス粉を含有する。また、乾燥形態の場合には、殺菌粉末および／または表面活性剤粉末を有する。ゲル形態の場合、水だけでなく、バインダー、増粘剤および／または表面活性剤を含有する。ガラス粉は未使用ガラス、リサイクルガラス、またはこれらの混合物であり、粒度は好ましくは１２メッシュを越えない。【特許請求の範囲】
【請求項１】
表面又は物品を処理する方法であって：
少なくとも多泡ガラス粉を有する処理剤を用意する工程、及び、
表面又は物品をこの処理剤に接触させ、該処理剤とこの表面又は物品を、該表面又    は物品を処理するために相対運動させる工程
を有することを特徴とする表面又は物品を処理する方法。
【請求項２】
少なくとも多泡ガラスを粉砕し、粒度が１２メッシュを超えないガラス粒子を形成する工程を有することを特徴とする、表面または物品を処理する処理剤を製造する方法。
【請求項３】
上記処理剤が、１．０〜９９．９重量％の多泡ガラス粉、０．０〜９８．９重量％のガラス粉、および殺菌粉末および表面活性剤粉末のうち少なくとも１種を有し、さらに香料を含有していてもよい混合物である請求項１または２記載の方法。
【請求項４】
上記処理剤が、１．０〜８８．０重量％の多泡ガラス粉、０．０〜８７．０重量％のガラス粉、１０．０〜９０．０重量％の水、および２．０〜１０．０重量％のバインダーを有する混合物で、この混合物がさらに増粘剤、表面活性剤、香料および着色剤のうち少なくとも１種を含有する請求項１または２記載の方法。
【請求項５】
上記ガラスが、未使用ガラスおよびリサイクルガラスのうち少なくとも１種である請求項１または２記載の方法。
【請求項６】
上記ガラス粉が、１２メッシュを超えない粒度を実質的にもつ請求項１記載の方法。
【請求項７】
少なくとも多泡ガラス粉を有することを特徴とする表面または物品処理剤。
【請求項８】
上記処理剤がさらに殺菌粉末および表面活性剤粉末のうち少なくとも１種を有し、香料を含有していてもよい請求項７記載の表面または物品処理剤。
【請求項９】
上記処理剤がさらに水およびバインダーを有し、増粘剤、表面活性剤、香料および着色剤のうち少なくとも１種を含有していてもよい請求項７記載の表面または物品処理剤。
【請求項１０】
上記ガラスが、未使用ガラスおよびリサイクルガラスのうち少なくとも１種である請求項７記載の表面または物品処理剤。
【発明の詳細な説明】
【技術分野】
【０００１】
本発明は、ガラス粉を含む表面処理剤または物品処理剤、該処理剤の使用方法、および該処理剤の製造方法に関する。
【背景技術】
【０００２】
表面や物品を処理するために、特に物品や表面を研磨または浄化するだけでなく、このような物品や表面から望ましくない材料を除去するために数多くの製品が知られているが、残念なことに、これら公知製品の多くは、有毒な、さもなければ環境に有害な化学薬品を含有するものである。さらに、これら製品の一部は製造コストが高く、常に効果があるわけではない。
【発明の開示】
【発明が解決しようとする課題】
【０００３】
すなわち、本発明の目的は、特定の組成からなる、毒性がなく、経済的な上に効果的な表面／物品処理剤、および該処理剤の製造方法を提供することである。
【課題を解決するための手段】
【０００４】
上記目的、本発明のその他の目的、ならびに本発明の作用効果は、実施例を含む以下の説明から明らかになるはずである。
【０００５】
本発明の表面／物品処理方法は、主に、少なくとも多泡ガラス粉を有する処理剤を準備する工程、および被処理表面／物品を該処理剤に接触させてから、該処理剤と被処理表面／物品とを相対運動させる工程を特徴とする方法である。
【０００６】
従来の処理剤は、グリットサイズが一つの一種の研磨剤を使用しているが、本発明の処理剤の場合、丸いガラス粉粒子が、研磨力が比較的中程度の研磨剤として作用し、多泡ガラス粉の鋭い粒子が研磨力の比較的強い研磨剤として作用する。多種多様な用途に適用できるように、ガラスの種類およびグリットサイズを各種組み合わせで使用でき、従って極めて多様な研磨レベルを実現することができる。
【発明を実施するための最良の形態】
【０００７】
本発明の一つの態様では、上記処理剤は、１．０〜９９．９重量％の多泡ガラス粉、０．０〜９８．９重量％のガラス粉および０．１〜１０重量％の殺菌剤粉末および／または表面活性剤粉末からなる混合物である乾式処理剤である。この殺菌剤粉末は抗菌性物質であり、例えばグレープフルーツ種子エキスであるＣＩＴＲＩＣＩＤＡＬなどの柑橘類系の物質が使用でき、表面活性剤としては、ＭＡＣＫＡＮＡＴＥ  ＣＭ−１００Ｆなどのココナツ油系石鹸が使用できる。
【０００８】
上記混合物には、粉末状または液体状の香料も配合することができ、好適な液体香料の例としてはＤ−ＬＩＭＯＮＥＮＥがある。
【０００９】
本発明のもう一つの実施態様では、液状またはゲル状として処理剤を使用できる。この場合、混合物の組成は、１．０〜８８．０重量％の多泡ガラス粉、０．０〜８７．０重量％のガラス粉、１０．０〜９０．０重量％の水からなり、さらに２．０〜１０．０重量％のバインダーを含有し、場合によっては０．５〜５．０重量％の増粘剤および／または０．５〜１０重量％の表面活性剤を含有する。好適なバインダーは、例えばＧＥＲＭＡＢＥＮ  ｌｌであり、好適な増粘剤は、例えばＢ．Ｆ．Ｇｏｏｄｒｉｃｈ  ＣｈｅｍｉｃａｌＣｏｍｐａｎｙ製の水溶性樹脂で、ゲル形成性が良好な樹脂であるＣＡＲＢＯＰＯＬ９４０ＰＯＬＹＭＥＲである。ゲル状の本発明表面／物品処理剤に好適な表面活性剤としては、水酸化ナトリウムを使用することができる。このゲル状処理剤混合物は、さらに０．１〜５．０重量％の香料および／または着色剤を含有することができる。好適な香料は、例えばレモン香料Ｂ.Ｓ.であり、好適な着色剤は、例えばＦＤ＆Ｃ  Ｙｅｌｌｏｗ  Ｎｏ．５およびＤ＆Ｃ  Ｇｒｅｅｎ  Ｎｏ．３である。
【００１０】
多泡ガラス粉は、未使用ガラス、リサイクルガラスまたはこれらの混合物から製造することができる。同様に、ガラス粉として、未使用ガラス、リサイクルガラスまたはこれらの混合物を使用することができる。さらに、多泡ガラス粉は、他の製品の多泡ガラス製造過程で出る廃棄製品であってもよい。
【００１１】
既に説明したように、本発明の表面／物品処理剤のガラスおよび多泡ガラスは、いずれも粉末状である。特に、これらガラスは、ボールミルなどの好適な方法によって粉末化するか、あるいは小さな粒子または非常に小さい粒子に粒子化する。本明細書で使用する“粉”は、粒子を製造する方法に関係なく、ガラスを粒子に粒子化することを意味する。さらに、ガラスは、粒度が１２メッシュを超えないように粉砕する。本発明での好ましいガラス粒子の粒度は１２〜４００メッシュであるが、ガラス粉または多泡ガラス粉は、より粒度の小さいガラス粒子を含有していてもよい。処理剤混合物が１２メッシュを超える粒度のガラス粒子を含まないようにするためには、他の成分と混合する前に、あるいは他の成分と混合した後に、適切は篩（ｓｉｅｖｅ）またはスクリーンを使用して、ガラス粉粒子を処理すればよい。
【００１２】
本発明は、表面や物品を処理するユニークな方法だけでなく、ある特定の表面／物品を処理する処理剤の製造方法およびユニークな表面／物品処理剤を提供するものである。本発明の表面／物品処理剤は、産業用だけでなく家庭用としても使用できる効果的な、毒性のない処理剤である。
【００１３】
本発明の表面／物品処理剤は、いくつかの方法で使用できる。例えば、被処理表面／物品を直接粉末状処理剤またはゲル状処理剤で処理してもよく、あるいはスポンジや布を介して処理してもよい。乾式処理剤の場合、表面（または物品）または布を加湿できる。
【００１４】
なお、用途によっては、処理剤のガラス粉に別な研磨剤および／または物品や表面上の物質を溶解できる化学薬品などの適当な化学薬品を追加配合してもよい。
【００１５】
以下、本発明を２つの実施例によって説明する。
【実施例１】
【００１６】
下記の成分を使用して、乾式表面／物品処理剤を調製した。
重量％
研磨剤          ２００メッシュリサイクルガラス                    ９０．０
研磨剤          ６０メッシュリサイクル多泡ガラス                    ５．９
殺菌粉末        グレープフルーツ種子エキス  ＣＩＴＲＩＣＩＤＡＬ    ０．１
液体香料        Ｄ−ＬＩＭＯＮＥＮＥ（工業用）                      １．５
表面活性剤粉末  ＭＡＣＫＡＮＡＴＥ  ＣＭ−２００Ｆ                  ２．５
【００１７】
ドラムミキサーでガラス粉と乾燥粉末とを１０〜１５分間混合した。次に、液体香料をゆっくり添加し、混合をさらに１０〜１５分間続けた。
【実施例２】
【００１８】
ゲル状の本発明表面／物品処理剤を調製するために、以下の成分を用意した。
重量％
水                                                                      ６８．６
リサイクルガラス／多泡ガラス混合物  ＥＣＯＭＡＸ                        ２０．０
バインダー                          ＧＥＲＭＡＢＥＮ  ｌｌ                ５．０
増粘剤                        ＣＡＲＢＯＰＯＬ９４０ＰＯＬＹＭＥＲ        ２．５
表面活性剤                          水酸化ナトリウム                      ２．５
香料                        Ｌｅｍｏｎ  Ｆｒａｇｎａｎｃｅ  Ｂ．Ｓ．      １．０
着色剤                      ＦＤ＆Ｃ  Ｙｅｌｌｏｗ  Ｎｏ．５              ０．２
Ｄ＆Ｃ  Ｇｒｅｅｎ  Ｎｏ．３                  ０．２
【００１９】
ガラス粉および乾燥粉末をパドルミキサーで１０〜１５分間混合した。別に、液体を混合した。次に、液体にゆっくり乾燥混合物を加え、１０〜１５分間混合した。そして細かなスクリーンで処理しながら、得られた混合物を高速で１０〜１５分間混合し、乾燥した粉末の塊がある場合には、これを完全に混合した。
【００２０】
なお、本発明は明細書の記載および実施例に限定されるものではなく、特許請求の範囲内で各種の変更が可能である。
【国際調査報告】
2005534719.tif 000002